(57)【要約】      （修正有）【課題】紙管内面にポリフェノールを含む着色部分を有するトイレットロールを提供する。【解決手段】長尺紙管３０を形成する前段階において、長尺紙管３０の内面側になる面を有する紙管原紙３２に対し、塗工機６１により、着色剤を含む着色剤含有消臭剤４１を付与する。この結果、長尺紙管３０内周面の一部又は全部が着色され、かつ、その着色された部分にポリフェノール系消臭剤とポリアミド樹脂を含ませ、消臭効果の高いトイレットロールを得る。【選択図】図１
2015047401.tif 000002
【特許請求の範囲】
【請求項１】
帯状のトイレットペーパーが紙管に巻かれたトイレットロールの製造方法であって、
ポリフェノール系消臭剤と低級アルコールとポリアミド樹脂と着色剤とを含む消臭剤含有着色剤を、紙管原紙の少なくとも一方面に塗布する工程と、
前記消臭剤含有着色剤を塗布した紙管原紙を塗布面が内周面となるようにして筒状に形成する工程と、
その筒状に形成したものに対してトイレットペーパー原紙を巻き付ける工程と、
を有することを特徴とするトイレットロールの製造方法。
【請求項２】
前記消臭剤含有着色剤は、ポリフェノール系消臭剤２５〜６７重量％、低級アルコール８〜２４重量％、ポリアミド樹脂１〜１０重量％を含む、請求項１記載のトイレットロールの製造方法。
【請求項３】
前記紙管原紙を筒状に形成する工程においてトイレットロールの幅の複数倍幅以上の長さの筒状にし、その筒状に形成したものに対してトイレットロールの幅の複数倍幅以上の長さトイレットペーパー原紙を巻き付けて、トイレットロールの径と同径でありかつトイレットロールの幅の複数倍幅以上のログを形成したのち、このログをトイレットロールの幅に裁断する、請求項１又は２記載のトイレットロールの製造方法。
【請求項４】
帯状のトイレットペーパーが紙管に巻かれているトイレットロールであって、
前記紙管内周面の一部又は全部が着色され、かつ、その着色された部分にポリフェノール、ポリフェノール誘導体及びポリフェノール類似体の少なくとも一種とポリアミド樹脂とを含む、ことを特徴とするトイレットロール。
【発明の詳細な説明】
【技術分野】
【０００１】
本発明は、帯状のトイレットペーパーを紙管に巻いたトイレットロール、及びそのトイレットロールの製造方法に関する。
【背景技術】
【０００２】
従来、トイレットロールの機能向上を目的として消臭機能を付与することが提案されている。例えば、トイレットロールを構成する紙管の内面に消臭剤を付与する方法（特許文献１））等が提案されている。
【０００３】
一方、トイレ空間の悪臭成分に対して有効な消臭剤成分として、カテキンガレート、タンニン酸等を始めとする植物等より抽出されるなどしたポリフェノールやその誘導体、類似体類がある(以下、このポリフェノールやその誘導体、類似体類をポリフェノール等ともいう)。しかし、これらのポリフェノール等を紙管に対して付与するには以下のような問題がある。
【０００４】
まず、トイレットロールを構成する紙管の内面には、意匠性の向上や表面の保護、ロットナンバーの付与などのために、文字・絵柄を印刷することが行なわれており、この印刷には、主にアクリル樹脂を含む水性インキが用いられている。ポリフェノールは酸性であるため、ポリフェノール等を含むポリフェノール系消臭剤と上記水性インキとを併用すると、ポリフェノール系消臭剤と水性インキ中のアクリル樹脂とが反応して凝集が生じ、印刷の色ムラが発生したり、紙管に対して消臭剤が定着せずに剥離してしまう。
【０００５】
また、ポリフェノール系消臭剤は、抽出元である植物に由来する多糖類が混入しやすく、塗工表面にべたつきが発生しやすい。
【０００６】
このように、ポリフェノールを紙管に対して付与しようとしても、定着しなかったり、印刷ムラを誘発したり、塗布部分にべたつきが生じてしまうという、問題があった。
【先行技術文献】
【特許文献】
【０００７】
【特許文献１】実開昭６２−１９７６６０
【特許文献２】特許５０３２３９８号
【特許文献３】特開２００９−２０３４０８号公報
【特許文献４】特開２００７−２３７６７２号公報
【特許文献５】特開２００１−７１６２７号公報
【特許文献６】特開２０１２−４５７９１号公報
【発明の概要】
【発明が解決しようとする課題】
【０００８】
そこで、本発明の主たる課題は、べたつきや色ムラや消臭剤の剥離なく、消臭効果の高いポリフェノール系消臭剤を紙管内面に付与したトイレットロール及びその製造方法を提供することにある。
【課題を解決するための手段】
【０００９】
上記課題を解決した本発明は次記のとおりである
〔請求項１記載の発明〕
帯状のトイレットペーパーが紙管に巻かれたトイレットロールの製造方法であって、
ポリフェノール系消臭剤と低級アルコールとポリアミド樹脂と着色剤とを含む消臭剤含有着色剤を、紙管原紙の少なくとも一方面に塗布する工程と、
前記消臭剤含有着色剤を塗布した紙管原紙を塗布面が内周面となるようにして筒状に形成する工程と、
その筒状に形成したものに対してトイレットペーパー原紙を巻き付ける工程と、
を有することを特徴とするトイレットロールの製造方法。
【００１０】
〔請求項２記載の発明〕
前記消臭剤含有着色剤は、ポリフェノール系消臭剤２５〜６７重量％、低級アルコール８〜２４重量％、ポリアミド樹脂１〜１０重量％を含む、請求項１記載のトイレットロールの製造方法。
【００１１】
〔請求項３記載の発明〕
前記紙管原紙を筒状に形成する工程においてトイレットロールの幅の複数倍幅以上の長さの筒状にし、その筒状に形成したものに対してトイレットロールの幅の複数倍幅以上の長さトイレットペーパー原紙を巻き付けて、トイレットロールの径と同径でありかつトイレットロールの幅の複数倍幅以上のログを形成したのち、このログをトイレットロールの幅に裁断する、請求項１又は２記載のトイレットロールの製造方法。
【００１２】
〔請求項４記載の発明〕
帯状のトイレットペーパーが紙管に巻かれているトイレットロールであって、
前記紙管内周面の一部又は全部が着色され、かつ、その着色された部分にポリフェノール、ポリフェノール誘導体及びポリフェノール類似体の少なくとも一種とポリアミド樹脂とを含む、ことを特徴とするトイレットロール。
【発明の効果】
【００１３】
以上の本発明によれば、べたつきや色ムラや消臭剤の剥離なく、消臭効果の高いポリフェノール系消臭剤が紙管内面に付与されたトイレットロール及びその製造方法が提供される。
【図面の簡単な説明】
【００１４】
【図１】本発明の実施形態に係るトイレットロールの斜視図である。
【図２】本発明の実施形態に係るトイレットロールの製造方法の概要を示す図である。
【図３】本発明の実施形態に係る長尺紙管の製造方法を示す図である。
【発明を実施するための形態】
【００１５】
本発明の実施形態を図１〜３を参照しながら以下に説明する。但し、本発明は、この実施形態に限られない。
【００１６】
「トイレットロールの製造方法」
本発明の実施形態に係るトイレットロール１０の製造方法例を図面を参照しながら説明する。但し、本発明によるトイレットロールの製造方法は、この方法に必ずしも限定されるわけではない。
【００１７】
本実施形態のトイレットロールの製造方法は、図１に示すように、長尺の紙管３０を製造する工程（Ａ）と、その長尺の紙管を用いてログを製造するログ製造工程（Ｂ）と、ログを裁断して個々のトイレットロールにする裁断工程（Ｃ）と、を有している。
【００１８】
〔紙管製造工程（Ａ）〕
本実施形態の紙管製造工程は、図１中（Ａ）、図４に示すように、原反ロール３１Ａ，３２Ａから繰出された二枚の帯状の紙管原紙３１，３２のうち一方の紙管原紙３１の一方面に糊付けロール５１により糊を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分２９を形成し、その筒状部分２９をトイレットロールの複数倍幅以上の幅でカッター５８によりカットして長尺のスパイラル紙管３０（スパイラル式紙管とも称される）を形成する。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、１枚又は３枚以上の紙管原紙をスパイラル巻きして長尺の紙管を形成してもよい。
【００１９】
紙管原紙３１，３２としては、米坪が１２０〜２２０ｇ／ｍ2、紙厚が１５０〜５００μｍであるのが望ましい。着色剤消臭剤の塗工操作がしやすく、また、トイレットロールとなった際に十分な強度の紙管とすることができる。なお、長尺紙管３０の形成するにあたって、この他方の紙管原紙３２と対となるもう一方の紙管原紙３１は、違う原反を使用してもよく、例えば、米坪を変えたりしてもよい。
【００２０】
紙管原紙３１に対する糊の付与量は特に限定されないが、１〜２５．０ｇ／ｍ2程度である。また、糊は、本発明の効果を妨げない範囲で既知の紙管用のものを用いることができ、アクリル系接着剤、ホットメルト接着剤、澱粉糊、ＰＶＡ（ポリビニルアルコール）等が例示できる。
【００２１】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分２９に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分２９に回転力を与えているが、一機の一対のプーリーと平ベルトにより筒状部分に回転力を与えるようにしてもよい。また、図示しないが、筒状部分２９に平ベルト５４ではなくロールを当接させて回転力を与えるようにしても、各紙管原紙３１，３２をマンドレルシャフト５２に巻き付けることができる。
【００２２】
ここで、紙管原紙３１，３２をマンドレルシャフト５２に巻き付けてスパイラル紙管の形成するにあたっては、図示例からも理解されるように、紙管原紙３１，３２が連続的にマンドレルシャフト５２に送り込まれることにより筒状部分２９が長くなり、その筒状部分２９が連続的に形成されてマンドレルシャフト５２の先端方向に伸びていく。そして、その過程では、筒状部分２９の内面がマンドレルシャフト５２の周面に摺接しながら、マンドレルシャフト５２の先端方向に向かって移動していくことになる。
【００２３】
本実施形態では、このように長尺の紙管３０を形成する前段において、紙管原紙のマンドレルシャフト５２にスパイラル巻きした際に長尺紙管３０の内面側になる面を有する紙管原紙３２に対して塗工機６１により着色剤を含む着色剤含有消臭剤４１を付与する。
【００２４】
図示の形態では、二枚の紙管原紙３１，３２のうち前記他方の紙管原紙３２がマンドレルシャフト５２にスパイラル巻きした際に長尺紙管３０の内面側になる面を有するようになっていることから、その紙管原紙３２に対して着色剤を含む消臭剤４１を付与している。但し、本実施形態は、この図示の形態に限らず、二枚の紙管原紙の双方に付与してもよいし、例えば、１枚又は３枚以上の紙管原紙を用いて、長尺紙管３０を形成する場合には、その筒状にした際に内面となる面を有する紙管原紙の少なくとも一つの当該面に着色剤含有消臭剤を付与すればよい。
【００２５】
本実施形態の着色剤含有消臭性４１は、有効成分としてポリフェノール系消臭剤と低級アルコールとポリアミド樹脂と着色剤とを含む。着色剤は、公知の染料又は顔料を用いることができる。着色剤含有消臭剤は、前記ポリフェノール系消臭剤と低級アルコールとポリアミド樹脂を混合した消臭剤薬液に対して、染料又は顔料を含む着色剤を適宜の色の濃さや色に応じて混合することにより調製することができる。前記着色剤含有消臭剤の好ましい配合割合は、ポリフェノール系消臭剤２５〜６７重量％、低級アルコール８〜２４重量％、ポリアミド樹脂１〜１０重量％を含むものである。これに適宜の水性溶媒を３〜６６重量％含むことができる。水性溶媒は、ポリフェノール系消臭剤、低級アルコール及びポリアミド樹脂と反応性を有さない適宜のものが選択でき、特に水が適する。着色剤の配合割合については、上記のとおり適宜の配合割合とすることができる。したがって、本実施形態の特に好ましい着色剤含有消臭剤は、ポリフェノール系消臭剤２５〜６７重量％、低級アルコール８〜２４重量％、ポリアミド樹脂１〜１０重量％を含む消臭剤薬液を調製した後、これに適宜着色剤を配合して調製することができる。
【００２６】
本実施形態に係るポリフェノール系消臭剤は、ｐＨ４．０〜６．９の酸性を呈するものであり、消臭効果を奏する有効成分として茶  柿、ブドウ等の植物及び植物の加工品から抽出されるなどした、ポリフェノール、ポリフェノール誘導体及びポリフェノール類似体の少なくとも一種（以下、ポリフェノール等ともいう）を０．１〜４０重量％、好ましくは０．５〜２０重量％、特に好ましくは、１〜１０重量％含むものである。その他の成分として、水等の溶媒や保存剤、ｐＨ調製剤等の助剤を含みうる。また、安定性、ポリフェノール等への官能基の付与、自身の反応性による消臭効果のさらなる向上の観点等のため有機酸、有機酸塩が配合されていてもよい。有機酸、有機酸塩は、トイレットロールを構成するトイレットペーパーが、人体に直接触れるものであることを考慮して、人体に対する安全性の高いものであるのが望ましく、例えば、乳酸、酒石酸、リンゴ酸、フマル酸、コハク酸、クエン酸、グルタル酸、アミノ酸、アジピン酸、アスコルビン酸、又はこれらの無機塩もしくは有機塩が例示できる。塩を形成する無機塩基としては、ナトリウム、カリウム、リチウム、カルシウム、マグネシウムのようなアルカリ金属又はアルカリ土類金属の水酸化物、酸化物、炭酸塩、炭酸水素塩等が例示できる。また、有機塩基としては、窒素含有塩基、例えば一級、二級又は三級アミン、イミノ基、グアニジノ基、イミダゾリノ基、イミダゾリル基、ピリジル基等の基を有する化合物が例示できる。
【００２７】
上記ポリフェノール系消臭剤は、主に有効成分であるポリフェノール等のフェノール性水酸基の反応等により、トイレ空間内の悪臭成分の一つであるアンモニアに対する高い消臭機能を有する。もちろん、アンモニアに加えて、硫化水素、メチルメルカプタン、トリメチルアミンに対して反応性を有して消臭機能を有するものも存在し、用いるポリフェノール系消臭剤はそのようなものであってもよい。例えば、ポリフェノール誘導体の中には、特許３９１９７２９号のように人為的に分子量の高いポリフェノールに対して適宜の官能基を持たせて、特定の成分に対する消臭機能を付加或いは高めたものが知られているが、そのようなものであってもよい。
【００２８】
本実施形態に係るポリフェノール等のより好ましい具体例としては、タンニン、カテキン、ルチン、アントシアニン、エラグ酸、クマリン、フラボン及びこれらの誘導体又は前駆体である。これらはトイレの悪臭成分に対して特に高い消臭効果を発揮する。したがって、ポリフェノール系消臭剤は、これらを少なくとも一種含むものが望ましい。
【００２９】
上記具体例のなかでも、特に好ましいものは、特にタンニン及びその誘導体である。タンニン及びタンニン誘導体は、分子量が大きくフェノール性水酸基を多く有するため消臭機能に優れる。なお、タンニンは、縮合型タンニン、加水分解型タンニンのいずれでよい。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００３０】
また、ポリフェノール系消臭剤は、市販されているものを用いることができる。例えば、リリース科学工業株式会社製のPancil COS-15、Pancil COS-17、Pancil CL-10、Pancil AS-10、Pancil AS-20、Pancil  BA-210-1、Pancil COS-5、Pancil FG-22、Pancil FG-25、Pancil FG-30、Pancil FG-60、Pancil FG-70、Pancil FG-99、Pancil FX10、Pancil PO -10、Pancil BA-200E-1を適宜用いることができる。
【００３１】
他方、本実施形態における低級アルコールとしては、エチルアルコール、メチルアルコール、プロパノール類が挙げられる。これらの混合アルコールでもよい。トイレットロールを構成する紙管原紙３１，３２は、トイレットペーパーのような薄葉紙とは異なり、ある程度の剛性が必要で坪量も高いものあるため、ＪＩＳ  Ｐ  ８１２２（２００４）に記載の方法で測定したステキヒトサイズ度が１５０〜２５０秒である。また、ポリフェノール系消臭剤は、紙へのなじみが良好ではない。したがって、そのまま塗工しても弾いたりしてムラになりやすい。しかし、ポリフェノール系消臭剤とともに低級アルコールを含有させると、ポリフェノール系消臭剤の紙管原紙へのなじみ及び乾燥性が向上し、紙管原紙にムラなく効果的に付与できるようになる。また、ポリフェノール系消臭剤は、植物由来の多糖類を排除することが難しく、これに起因するべたつきが発生しやすいが、低級アルコールを含有させることにより、べたつきが防止される。
【００３２】
他方、本実施形態におけるポリアミド樹脂としては、水溶液中においてアミド基を有するものであり、具体例としてはポリアクリルアミド樹脂が挙げられる。商品としては、例えば、東洋インキ社アクワＮＡＤＥが使用できる。一般に、染料及び顔料を用いた水性インキ中のバインダー樹脂としてもちいられるアクリル樹脂は、カルボキシル基を有しているため、このカルボキシル基がポリフェノールの水酸基と反応し、凝集が生じて塗布ムラを生じてしまう。本実施形態では、ポリアミド樹脂を用いることにより、ポリフェノール系消臭剤と反応することなくバインダーとして機能させることができる。これにより染料及び顔料とポリフェノール系消臭剤を紙管原紙３２にムラ無く定着させることが可能となる。また、ポリアミド樹脂は、紙管原紙３２への付与後に乾燥して比較的強固な塗膜を形成するためマンドレルシャフトとの摺接時など紙管の加工時やトイレットロールの実使用時における消臭剤の剥離をも防止する。
【００３３】
紙管原紙３２に着色剤含有消臭剤層４１を付与するには、図示の形態では、紙管原紙３２が巻かれた原反ロール３２Ａから当該紙管原紙３２を繰出し、マンドレルシャフト５２への巻き付けを行なう前に、塗工機６１でその紙管原紙３２の一方面の全体又は一部に塗工して行なっている。但し、この形態に限らず、原反ロールに巻き取る前の紙管原紙３２，３１に対して予め着色剤含有消臭剤４１を塗工しておいてもよい。本実施形態では、ポリフェノール系消臭剤を付与してもべたつき等がなく、また、比較的強固な皮膜が形成されるため、原反ロール巻き取り前に着色剤含有消臭剤を付与しておいても原反ロールからスムーズに紙管原紙を繰出すことができる。
【００３４】
紙管原紙３２に着色剤含有消臭剤層４１を付与する塗工機６１としては、フレキソ印刷機、グラビア印刷機等の既知の印刷機のなかから適宜選択することができる。塗工機６１による着色剤含有消臭剤４１の付与態様としては、ベタ印刷のほか網点状、円状、ブロック状など適宜のパターン印刷、図形などの模様印刷や文字の印刷として付与することができる。
【００３５】
着色剤含有消臭剤４１の付与量としては、印刷による模様等に応じて適宜設計できるが、付与量が５〜８０ｇ／ｍ2となるようにするのが望ましい。この範囲であれば、生産性よく着色剤含有消臭剤４１を十分に塗工することができ、また、十分な消臭効果を奏する量の消臭剤を付与することができる。
【００３６】
他方、図示の形態では、紙管原紙に着色剤含有消臭剤を付与した後にヒーター（乾燥機）６２により付与部分の乾燥を行なうようにしている。このように乾燥を行なうことにより塗膜が確実に形成されやすくなり、後段の加工が行ないやすくなる。
【００３７】
〔ログ製造工程（Ｂ）〕
他方、本実施形態では、上記の長尺紙管３０の製造と平行して又はその後において、ログ製造工程（図１中（Ｂ））にて、ログ７０を製造する。なお、ログ７０とは、業界においての一般用語であり、最終製品であるトイレットロール１０の径と同径でありかつ幅が最終製品の複数個分ある中間製品である。
【００３８】
このログ７０の製造は、連続的に又は段階的に、長尺紙管３０と実質的に同幅のトイレットペーパー原紙７１，７１を、ロール７１Ａ，７１Ａから繰り出すとともに巻き付けてログ７０を形成する。この巻き付けは、既知のワインダー装置Ｘ２が利用できる。
【００３９】
図示の形態では、二つのロール７１Ａ，７１Ａから単層のトイレットペーパー原紙７１，７１を繰り出して、重ね合わせ部８１にて２プライのトイレットペーパー原紙７２とした後、ミシン目線形成装置８２にてミシン目線の形成を行なった後、巻き取り装置８３にて巻き取り２プライ構造となるようにしている。但し、本発明に係るトイレットペーパー原紙は、２プライに限定されず、１プライ若しくは３プライ以上であってもよい。また、複数プライ構造とする場合には、各原紙の米坪や物性等は同じである必要もない。さらに、ワインダー装置Ｘ２でプライ構造にするのではなく、予め積層されたトイレットペーパー原紙を巻き取ったロールからトイレットペーパー原紙を繰出して長尺紙管３０に巻き付けてログ７０を形成すようにしてもよい。
【００４０】
また、図示の形態では、ミシン目線形成装置８２を設けてミシン目線を付与する形態を示しているが、本発明では必ずしもミシン目線形成装置及びミシン目線の付与は必須ではない。さらに、本実施形態において、図示はしないが、ミシン目線付与装置８２の前段に既知のコンタクトエンボス付与装置を設けてコンタクトエンボスを付与してもよいし、重ね合わせ部８１の前段で各トイレットペーパー７１，７１にエンボスロールでエンボスを付与するようにしてもよいし、その付与したエンボスの凸部頭頂に接着剤を付与して係る接着剤でシート同士を積層一体化するようにしてもよい。
【００４１】
〔裁断工程（Ｃ）〕
以上のように、ログ７０を製造したならば、このログ７０を既知のログアキュームレーターＸ３で複数本をストックしつつ後段のログカッター設備Ｘ４へと移動させる。そして、その後に図１中（Ｃ）に示すように、既知のログカッター９１でログ７０を製品幅に裁断し、個々のトイレットロール１０，１０…とする。
【００４２】
「トイレットロールの製造方法の他の実施形態」
上記説明の実施形態は、ログ７０を仲介してトイレットロール１０を形成する方法を説明したが、本発明は必ずしもログ７０を形成しないてトイレットロール１０を形成することもできる。
【００４３】
例えば、上述の長尺の紙管３０を形成する工程Ｃにおいて、筒状部分２９をトイレットロール１０と同幅かやや幅広でカッター５８によりカットして紙管を形成した後、これと同幅のトイレットペーパー原紙７２を巻き付けることで、ログ７０を介さずに直接的にトイレットロール１０とすることができる。トイレットロール１０よりやや幅広の紙管にトイレットロール１０よりやや幅広のトイレットペーパー原紙７２を巻き付けて、その両端面部分をカットすることで端面を整えることができる。着色剤含有消臭剤４１やその付与形態については、上記ログ７０を仲介する方法と同様に行なうことができる。
【００４４】
「トイレットロール」
次いで、本実施形態に係るトイレットロール１０について説明する。本実施形態に係るトイレットロール１０は、図３に示すとおり、紙管１１に帯状の家庭用薄葉紙であるトイレットペーパー１２が巻かれたものである。このトイレットロール１０は、上記のトイレットロール１０の製造方法により製造することができる。
【００４５】
本実施形態にかかるトイレットロール１０の大きさ等は、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパーの長さも十分である。
【００４６】
トイレットペーパー１２は、微細な凹凸であるクレープを有する家庭用薄葉紙であるが、その具体的な組成・構成は限定されない。トイレットペーパー１２は、１プライから３プライのものが望ましい。紙厚は、１００〜３５０μｍであるのが望ましい。また、１プライ当り米坪は、１１．０〜２５．０ｇ／ｍ2であるのが望ましい。この範囲であれば使用時の柔らかさや吸水性を確保できる。
【００４７】
なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。
【００４８】
本実施形態に係るトイレットロール１０は、特徴的に、前記紙管１１の内周面１１Ａの一部又は全部が着色されており、その着色された部分にトイレ空間内の悪臭成分に対して消臭効果を有するポリフェノール等の少なくとも１種と、ポリアミド樹脂とを含む。すなわち、本実施形態のトイレットロール１０は、紙管内面１１Ａに染料又は顔料がポリアミド樹脂によって定着され、これにより着色されているとともに、その定着部分にポリフェノール等が含有されている。なお、本実施形態に係る着色された部分にポリフェノール等の少なくとも１種と、ポリアミド樹脂を含む態様は、上記の製造方法により製造されるような、それらが混合された状態で付与されているような態様のものであり、ポリフェノール等とポリアミド樹脂とが別々に付与されて層構造となっているような態様のものではない。
【００４９】
着色部分は、より具体的には、ベタ印刷、網点状、円状、ブロック状など適宜のパターン印刷、図形などの模様印刷、文字の印刷等である。着色の色は特に限定されない。
【００５０】
ポリフェノール等としては、上記製造方法の欄でも説明しものと同様であり、茶  柿、ブドウ等の植物及び植物の加工品から抽出されるなどしたものである。本発明に特に好ましいものとしてタンニン、カテキン、ルチン、アントシアニン、エラグ酸、クマリン、フラボン及びこれらの誘導体又は前駆体が挙げられる。これらは、トイレ空間の悪臭成分に対する消臭効果に優れる。なかでも、特にタンニン及びその誘導体が望ましい。タンニン及びタンニン誘導体は、分子量が大きくフェノール性水酸基を多く有するため消臭機能に優れる。なお、タンニンは、縮合型タンニン、加水分解型タンニンのいずれでよい。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００５１】
なお、紙管に対するポリフェノール等の付与量としては、紙管内周面の面積を基準として、０．００２〜６．０ｇ／ｍ2であるのが望ましい。より、好ましくは０．２〜２ｇ／ｍ2である。この含有量であれば、ポリフェノール系消臭剤による消臭効果を十分に発揮させることができ、また、付与もしやすい。
【００５２】
ポリアミド樹脂は、ポリアクリルアミド樹脂であるのが望ましい。本実施形態のトイレットロールでは、バインダー成分がポリアミド樹脂であることにより、紙管内面にべたつきがなく、剥離もし難いものとなる。その結果、そこに含まれるポリフェノール等及び着色剤の剥離もし難いものとなる。
【実施例】
【００５３】
本発明の効果を確認すべく試験を行なった。試験は、坪量１７０ｇ／ｍ2、紙厚２００μｍ、ステキヒトサイズ度２００秒の紙管原紙に対して下記表１に示す異なる組成・配合割合の着色剤含有消臭剤を予め付与し、それら着色剤含有消臭剤を付与した紙管原紙をもちいて、上記〔紙管製造工程（Ａ）〕の欄で説明した手順により長尺の紙管を形成して、その付与面及び紙管内面を観察することにより行なった。なお、着色インキは東洋インキ株式会社製ＬＯＸ３９藍、低級アルコールは、イソプロピルアルコールを用いた。消臭剤は、リリース科学工業株式会社製Pancil FG-25を使用した。
【００５４】
評価は、付与面のべたつき、印刷適性、剥がれの３項目とした。
【００５５】
印刷適性は、グラビア印刷機を用いてパターン印刷を行い、ムラ無く印刷できるか否かを目視にて評価した。評価基準は、色ムラありを×、色ムラ無しを○とした。
【００５６】
べたつきについては、紙管原紙に着色剤を付与したのち３分後も手で触ってべたつきがないか否かを確認した。評価基準は、べたつきがあるものを×、べたつきが無いものを○とした。
【００５７】
剥離については、長尺紙管を形成したのちその内面を観察して、着色剤含有消臭剤が剥がれている部分があるか否かを目視にて確認した。剥がれがみられるものを×、剥がれがみられないものを○と評価した。
【００５８】
【表１】
2015047401.tif 000003
【００５９】
上記表１に示されるように、本発明の実施例については、べたつき、印刷適性、剥がれの評価のいずれも良好な結果が得られた。これに対して、比較例１〜４では、べたつき、印刷適性、剥がれの項目において問題のある結果となった。
【００６０】
以上のことから、本発明により、べたつきや色ムラや消臭剤の剥離なく、消臭効果の高いポリフェノール系消臭剤が紙管内面に付与されたトイレットロール及びその製造方法が提供できることが確認された。
【符号の説明】
【００６１】
１０…トイレットロール、３１Ａ，３２Ａ…原反ロール、３１，３２…紙管原紙、５１…糊付けロール、２９…筒状部分、５８…カッター、３０…長尺の紙管、５２…マンドレルシャフト、５３…プーリー、５４…平ベルト、６１…塗工機、６２…乾燥機、４１…着色剤含有消臭剤、７０…ログ、７１…トイレットペーパー原紙、７１Ａ…ロール、７２…２プライのトイレットペーパー原紙、８１…重ね合わせ部、８２…ミシン目線形成装置、８３…巻き取り手段、９１…ログカッター、１１…紙管、１１Ａ…紙管内面、１２…トイレットペーパー、Ｌ１…トイレットロールの幅、Ｌ２…トイレットロールの直径、Ｌ３…紙管内径。
【図１】
2015047401.tif 000004
【図２】
2015047401.tif 000005
【図３】
2015047401.tif 000006
【手続補正書】
【提出日】平成26年10月30日(2014.10.30)
【手続補正１】
【補正対象書類名】明細書
【補正対象項目名】全文
【補正方法】変更
【補正の内容】
【発明の詳細な説明】
【技術分野】
【０００１】
本発明は、帯状のトイレットペーパーを紙管に巻いたトイレットロール、及びそのトイレットロールの製造方法に関する。
【背景技術】
【０００２】
従来、トイレットロールの機能向上を目的として消臭機能を付与することが提案されている。例えば、トイレットロールを構成する紙管の内面に消臭剤を付与する方法（特許文献１））等が提案されている。
【０００３】
一方、トイレ空間の悪臭成分に対して有効な消臭剤成分として、カテキンガレート、タンニン酸等を始めとする植物等より抽出されるなどしたポリフェノールやその誘導体、類似体類がある(以下、このポリフェノールやその誘導体、類似体類をポリフェノール等ともいう)。しかし、これらのポリフェノール等を紙管に対して付与するには以下のような問題がある。
【０００４】
まず、トイレットロールを構成する紙管の内面には、意匠性の向上や表面の保護、ロットナンバーの付与などのために、文字・絵柄を印刷することが行なわれており、この印刷には、主にアクリル樹脂を含む水性インキが用いられている。ポリフェノールは酸性であるため、ポリフェノール等を含むポリフェノール系消臭剤と上記水性インキとを併用すると、ポリフェノール系消臭剤と水性インキ中のアクリル樹脂とが反応して凝集が生じ、印刷の色ムラが発生したり、紙管に対して消臭剤が定着せずに剥離してしまう。
【０００５】
また、ポリフェノール系消臭剤は、抽出元である植物に由来する多糖類が混入しやすく、塗工表面にべたつきが発生しやすい。
【０００６】
このように、ポリフェノールを紙管に対して付与しようとしても、定着しなかったり、印刷ムラを誘発したり、塗布部分にべたつきが生じてしまうという、問題があった。
【先行技術文献】
【特許文献】
【０００７】
【特許文献１】実開昭６２−１９７６６０
【特許文献２】特許５０３２３９８号
【特許文献３】特開２００９−２０３４０８号公報
【特許文献４】特開２００７−２３７６７２号公報
【特許文献５】特開２００１−７１６２７号公報
【特許文献６】特開２０１２−４５７９１号公報
【発明の概要】
【発明が解決しようとする課題】
【０００８】
そこで、本発明の主たる課題は、べたつきや色ムラや消臭剤の剥離なく、消臭効果の高いポリフェノール系消臭剤を紙管内面に付与したトイレットロール及びその製造方法を提供することにある。
【課題を解決するための手段】
【０００９】
上記課題を解決した本発明は次記のとおりである
〔請求項１記載の発明〕
帯状のトイレットペーパーが紙管に巻かれたトイレットロールの製造方法であって、
ポリフェノール系消臭剤と低級アルコールとポリアミド樹脂と着色剤とを含む消臭剤含有着色剤を、紙管原紙の少なくとも一方面に塗布する工程と、
前記消臭剤含有着色剤を塗布した紙管原紙を塗布面が内周面となるようにして筒状に形成する工程と、
その筒状に形成したものに対してトイレットペーパー原紙を巻き付ける工程と、
を有することを特徴とするトイレットロールの製造方法。
【００１０】
〔請求項２記載の発明〕
前記消臭剤含有着色剤は、ポリフェノール系消臭剤２５〜６７重量％、低級アルコール８〜２４重量％、ポリアミド樹脂１〜１０重量％を含む、請求項１記載のトイレットロールの製造方法。
【００１１】
〔請求項３記載の発明〕
前記紙管原紙を筒状に形成する工程においてトイレットロールの幅の複数倍幅以上の長さの筒状にし、その筒状に形成したものに対してトイレットロールの幅の複数倍幅以上の長さトイレットペーパー原紙を巻き付けて、トイレットロールの径と同径でありかつトイレットロールの幅の複数倍幅以上のログを形成したのち、このログをトイレットロールの幅に裁断する、請求項１又は２記載のトイレットロールの製造方法。
【００１２】
〔請求項４記載の発明〕
帯状のトイレットペーパーが紙管に巻かれているトイレットロールであって、
前記紙管内周面の一部又は全部が着色され、かつ、その着色された部分にポリフェノール、ポリフェノール誘導体及びポリフェノール類似体の少なくとも一種とポリアミド樹脂とを含む、ことを特徴とするトイレットロール。
【発明の効果】
【００１３】
以上の本発明によれば、べたつきや色ムラや消臭剤の剥離なく、消臭効果の高いポリフェノール系消臭剤が紙管内面に付与されたトイレットロール及びその製造方法が提供される。
【図面の簡単な説明】
【００１４】
【図１】本発明の実施形態に係るトイレットロールの斜視図である。
【図２】本発明の実施形態に係るトイレットロールの製造方法の概要を示す図である。
【図３】本発明の実施形態に係る長尺紙管の製造方法を示す図である。
【発明を実施するための形態】
【００１５】
本発明の実施形態を図１〜３を参照しながら以下に説明する。但し、本発明は、この実施形態に限られない。
【００１６】
「トイレットロールの製造方法」
本発明の実施形態に係るトイレットロール１０の製造方法例を図面を参照しながら説明する。但し、本発明によるトイレットロールの製造方法は、この方法に必ずしも限定されるわけではない。
【００１７】
本実施形態のトイレットロールの製造方法は、図１に示すように、長尺の紙管３０を製造する工程（Ａ）と、その長尺の紙管を用いてログを製造するログ製造工程（Ｂ）と、ログを裁断して個々のトイレットロールにする裁断工程（Ｃ）と、を有している。
【００１８】
〔紙管製造工程（Ａ）〕
本実施形態の紙管製造工程は、図１中（Ａ）、図４に示すように、原反ロール３１Ａ，３２Ａから繰出された二枚の帯状の紙管原紙３１，３２のうち一方の紙管原紙３１の一方面に糊付けロール５１により糊を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分２９を形成し、その筒状部分２９をトイレットロールの複数倍幅以上の幅でカッター５８によりカットして長尺のスパイラル紙管３０（スパイラル式紙管とも称される）を形成する。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、１枚又は３枚以上の紙管原紙をスパイラル巻きして長尺の紙管を形成してもよい。
【００１９】
紙管原紙３１，３２としては、米坪が１２０〜２２０ｇ／ｍ2、紙厚が１５０〜５００μｍであるのが望ましい。着色剤消臭剤の塗工操作がしやすく、また、トイレットロールとなった際に十分な強度の紙管とすることができる。なお、長尺紙管３０の形成するにあたって、この他方の紙管原紙３２と対となるもう一方の紙管原紙３１は、違う原反を使用してもよく、例えば、米坪を変えたりしてもよい。
【００２０】
紙管原紙３１に対する糊の付与量は特に限定されないが、１〜２５．０ｇ／ｍ2程度である。また、糊は、本発明の効果を妨げない範囲で既知の紙管用のものを用いることができ、アクリル系接着剤、ホットメルト接着剤、澱粉糊、ＰＶＡ（ポリビニルアルコール）等が例示できる。
【００２１】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分２９に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分２９に回転力を与えているが、一機の一対のプーリーと平ベルトにより筒状部分に回転力を与えるようにしてもよい。また、図示しないが、筒状部分２９に平ベルト５４ではなくロールを当接させて回転力を与えるようにしても、各紙管原紙３１，３２をマンドレルシャフト５２に巻き付けることができる。
【００２２】
ここで、紙管原紙３１，３２をマンドレルシャフト５２に巻き付けてスパイラル紙管の形成するにあたっては、図示例からも理解されるように、紙管原紙３１，３２が連続的にマンドレルシャフト５２に送り込まれることにより筒状部分２９が長くなり、その筒状部分２９が連続的に形成されてマンドレルシャフト５２の先端方向に伸びていく。そして、その過程では、筒状部分２９の内面がマンドレルシャフト５２の周面に摺接しながら、マンドレルシャフト５２の先端方向に向かって移動していくことになる。
【００２３】
本実施形態では、このように長尺の紙管３０を形成する前段において、紙管原紙のマンドレルシャフト５２にスパイラル巻きした際に長尺紙管３０の内面側になる面を有する紙管原紙３２に対して塗工機６１により着色剤を含む着色剤含有消臭剤４１を付与する。
【００２４】
図示の形態では、二枚の紙管原紙３１，３２のうち前記他方の紙管原紙３２がマンドレルシャフト５２にスパイラル巻きした際に長尺紙管３０の内面側になる面を有するようになっていることから、その紙管原紙３２に対して着色剤を含む消臭剤４１を付与している。但し、本実施形態は、この図示の形態に限らず、二枚の紙管原紙の双方に付与してもよいし、例えば、１枚又は３枚以上の紙管原紙を用いて、長尺紙管３０を形成する場合には、その筒状にした際に内面となる面を有する紙管原紙の少なくとも一つの当該面に着色剤含有消臭剤を付与すればよい。
【００２５】
本実施形態の着色剤含有消臭剤４１は、有効成分としてポリフェノール系消臭剤と低級アルコールとポリアミド樹脂と着色剤とを含む。着色剤は、公知の染料又は顔料を用いることができる。着色剤含有消臭剤は、前記ポリフェノール系消臭剤と低級アルコールとポリアミド樹脂を混合した消臭剤薬液に対して、染料又は顔料を含む着色剤を適宜の色の濃さや色に応じて混合することにより調製することができる。前記着色剤含有消臭剤の好ましい配合割合は、ポリフェノール系消臭剤２５〜６７重量％、低級アルコール８〜２４重量％、ポリアミド樹脂１〜１０重量％を含むものである。これに適宜の水性溶媒を３〜６６重量％含むことができる。水性溶媒は、ポリフェノール系消臭剤、低級アルコール及びポリアミド樹脂と反応性を有さない適宜のものが選択でき、特に水が適する。着色剤の配合割合については、上記のとおり適宜の配合割合とすることができる。したがって、本実施形態の特に好ましい着色剤含有消臭剤は、ポリフェノール系消臭剤２５〜６７重量％、低級アルコール８〜２４重量％、ポリアミド樹脂１〜１０重量％を含む消臭剤薬液を調製した後、これに適宜着色剤を配合して調製することができる。
【００２６】
本実施形態に係るポリフェノール系消臭剤は、ｐＨ４．０〜６．９の酸性を呈するものであり、消臭効果を奏する有効成分として茶  柿、ブドウ等の植物及び植物の加工品から抽出されるなどした、ポリフェノール、ポリフェノール誘導体及びポリフェノール類似体の少なくとも一種（以下、ポリフェノール等ともいう）を０．１〜４０重量％、好ましくは０．５〜２０重量％、特に好ましくは、１〜１０重量％含むものである。その他の成分として、水等の溶媒や保存剤、ｐＨ調製剤等の助剤を含みうる。また、安定性、ポリフェノール等への官能基の付与、自身の反応性による消臭効果のさらなる向上の観点等のため有機酸、有機酸塩が配合されていてもよい。有機酸、有機酸塩は、トイレットロールを構成するトイレットペーパーが、人体に直接触れるものであることを考慮して、人体に対する安全性の高いものであるのが望ましく、例えば、乳酸、酒石酸、リンゴ酸、フマル酸、コハク酸、クエン酸、グルタル酸、アミノ酸、アジピン酸、アスコルビン酸、又はこれらの無機塩もしくは有機塩が例示できる。塩を形成する無機塩基としては、ナトリウム、カリウム、リチウム、カルシウム、マグネシウムのようなアルカリ金属又はアルカリ土類金属の水酸化物、酸化物、炭酸塩、炭酸水素塩等が例示できる。また、有機塩基としては、窒素含有塩基、例えば一級、二級又は三級アミン、イミノ基、グアニジノ基、イミダゾリノ基、イミダゾリル基、ピリジル基等の基を有する化合物が例示できる。
【００２７】
上記ポリフェノール系消臭剤は、主に有効成分であるポリフェノール等のフェノール性水酸基の反応等により、トイレ空間内の悪臭成分の一つであるアンモニアに対する高い消臭機能を有する。もちろん、アンモニアに加えて、硫化水素、メチルメルカプタン、トリメチルアミンに対して反応性を有して消臭機能を有するものも存在し、用いるポリフェノール系消臭剤はそのようなものであってもよい。例えば、ポリフェノール誘導体の中には、特許３９１９７２９号のように人為的に分子量の高いポリフェノールに対して適宜の官能基を持たせて、特定の成分に対する消臭機能を付加或いは高めたものが知られているが、そのようなものであってもよい。
【００２８】
本実施形態に係るポリフェノール等のより好ましい具体例としては、タンニン、カテキン、ルチン、アントシアニン、エラグ酸、クマリン、フラボン及びこれらの誘導体又は前駆体である。これらはトイレの悪臭成分に対して特に高い消臭効果を発揮する。したがって、ポリフェノール系消臭剤は、これらを少なくとも一種含むものが望ましい。
【００２９】
上記具体例のなかでも、特に好ましいものは、特にタンニン及びその誘導体である。タンニン及びタンニン誘導体は、分子量が大きくフェノール性水酸基を多く有するため消臭機能に優れる。なお、タンニンは、縮合型タンニン、加水分解型タンニンのいずれでよい。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００３０】
また、ポリフェノール系消臭剤は、市販されているものを用いることができる。例えば、リリース科学工業株式会社製のPancil COS-15、Pancil COS-17、Pancil CL-10、Pancil AS-10、Pancil AS-20、Pancil  BA-210-1、Pancil COS-5、Pancil FG-22、Pancil FG-25、Pancil FG-30、Pancil FG-60、Pancil FG-70、Pancil FG-99、Pancil FX10、Pancil PO -10、Pancil BA-200E-1を適宜用いることができる。
【００３１】
他方、本実施形態における低級アルコールとしては、エチルアルコール、メチルアルコール、プロパノール類が挙げられる。これらの混合アルコールでもよい。トイレットロールを構成する紙管原紙３１，３２は、トイレットペーパーのような薄葉紙とは異なり、ある程度の剛性が必要で坪量も高いものあるため、ＪＩＳ  Ｐ  ８１２２（２００４）に記載の方法で測定したステキヒトサイズ度が１５０〜２５０秒である。また、ポリフェノール系消臭剤は、紙へのなじみが良好ではない。したがって、そのまま塗工しても弾いたりしてムラになりやすい。しかし、ポリフェノール系消臭剤とともに低級アルコールを含有させると、ポリフェノール系消臭剤の紙管原紙へのなじみ及び乾燥性が向上し、紙管原紙にムラなく効果的に付与できるようになる。また、ポリフェノール系消臭剤は、植物由来の多糖類を排除することが難しく、これに起因するべたつきが発生しやすいが、低級アルコールを含有させることにより、べたつきが防止される。
【００３２】
他方、本実施形態におけるポリアミド樹脂としては、水溶液中においてアミド基を有するものであり、具体例としてはポリアクリルアミド樹脂が挙げられる。商品としては、例えば、東洋インキ社アクワＮＡＤＥが使用できる。一般に、染料及び顔料を用いた水性インキ中のバインダー樹脂としてもちいられるアクリル樹脂は、カルボキシル基を有しているため、このカルボキシル基がポリフェノールの水酸基と反応し、凝集が生じて塗布ムラを生じてしまう。本実施形態では、ポリアミド樹脂を用いることにより、ポリフェノール系消臭剤と反応することなくバインダーとして機能させることができる。これにより染料及び顔料とポリフェノール系消臭剤を紙管原紙３２にムラ無く定着させることが可能となる。また、ポリアミド樹脂は、紙管原紙３２への付与後に乾燥して比較的強固な塗膜を形成するためマンドレルシャフトとの摺接時など紙管の加工時やトイレットロールの実使用時における消臭剤の剥離をも防止する。
【００３３】
紙管原紙３２に着色剤含有消臭剤層４１を付与するには、図示の形態では、紙管原紙３２が巻かれた原反ロール３２Ａから当該紙管原紙３２を繰出し、マンドレルシャフト５２への巻き付けを行なう前に、塗工機６１でその紙管原紙３２の一方面の全体又は一部に塗工して行なっている。但し、この形態に限らず、原反ロールに巻き取る前の紙管原紙３２，３１に対して予め着色剤含有消臭剤４１を塗工しておいてもよい。本実施形態では、ポリフェノール系消臭剤を付与してもべたつき等がなく、また、比較的強固な皮膜が形成されるため、原反ロール巻き取り前に着色剤含有消臭剤を付与しておいても原反ロールからスムーズに紙管原紙を繰出すことができる。
【００３４】
紙管原紙３２に着色剤含有消臭剤層４１を付与する塗工機６１としては、フレキソ印刷機、グラビア印刷機等の既知の印刷機のなかから適宜選択することができる。塗工機６１による着色剤含有消臭剤４１の付与態様としては、ベタ印刷のほか網点状、円状、ブロック状など適宜のパターン印刷、図形などの模様印刷や文字の印刷として付与することができる。
【００３５】
着色剤含有消臭剤４１の付与量としては、印刷による模様等に応じて適宜設計できるが、付与量が５〜８０ｇ／ｍ2となるようにするのが望ましい。この範囲であれば、生産性よく着色剤含有消臭剤４１を十分に塗工することができ、また、十分な消臭効果を奏する量の消臭剤を付与することができる。
【００３６】
他方、図示の形態では、紙管原紙に着色剤含有消臭剤を付与した後にヒーター（乾燥機）６２により付与部分の乾燥を行なうようにしている。このように乾燥を行なうことにより塗膜が確実に形成されやすくなり、後段の加工が行ないやすくなる。
【００３７】
〔ログ製造工程（Ｂ）〕
他方、本実施形態では、上記の長尺紙管３０の製造と平行して又はその後において、ログ製造工程（図１中（Ｂ））にて、ログ７０を製造する。なお、ログ７０とは、業界においての一般用語であり、最終製品であるトイレットロール１０の径と同径でありかつ幅が最終製品の複数個分ある中間製品である。
【００３８】
このログ７０の製造は、連続的に又は段階的に、長尺紙管３０と実質的に同幅のトイレットペーパー原紙７１，７１を、ロール７１Ａ，７１Ａから繰り出すとともに巻き付けてログ７０を形成する。この巻き付けは、既知のワインダー装置Ｘ２が利用できる。
【００３９】
図示の形態では、二つのロール７１Ａ，７１Ａから単層のトイレットペーパー原紙７１，７１を繰り出して、重ね合わせ部８１にて２プライのトイレットペーパー原紙７２とした後、ミシン目線形成装置８２にてミシン目線の形成を行なった後、巻き取り装置８３にて巻き取り２プライ構造となるようにしている。但し、本発明に係るトイレットペーパー原紙は、２プライに限定されず、１プライ若しくは３プライ以上であってもよい。また、複数プライ構造とする場合には、各原紙の米坪や物性等は同じである必要もない。さらに、ワインダー装置Ｘ２でプライ構造にするのではなく、予め積層されたトイレットペーパー原紙を巻き取ったロールからトイレットペーパー原紙を繰出して長尺紙管３０に巻き付けてログ７０を形成すようにしてもよい。
【００４０】
また、図示の形態では、ミシン目線形成装置８２を設けてミシン目線を付与する形態を示しているが、本発明では必ずしもミシン目線形成装置及びミシン目線の付与は必須ではない。さらに、本実施形態において、図示はしないが、ミシン目線付与装置８２の前段に既知のコンタクトエンボス付与装置を設けてコンタクトエンボスを付与してもよいし、重ね合わせ部８１の前段で各トイレットペーパー７１，７１にエンボスロールでエンボスを付与するようにしてもよいし、その付与したエンボスの凸部頭頂に接着剤を付与して係る接着剤でシート同士を積層一体化するようにしてもよい。
【００４１】
〔裁断工程（Ｃ）〕
以上のように、ログ７０を製造したならば、このログ７０を既知のログアキュームレーターＸ３で複数本をストックしつつ後段のログカッター設備Ｘ４へと移動させる。そして、その後に図１中（Ｃ）に示すように、既知のログカッター９１でログ７０を製品幅に裁断し、個々のトイレットロール１０，１０…とする。
【００４２】
「トイレットロールの製造方法の他の実施形態」
上記説明の実施形態は、ログ７０を仲介してトイレットロール１０を形成する方法を説明したが、本発明は必ずしもログ７０を形成せずにトイレットロール１０を形成することもできる。
【００４３】
例えば、上述の長尺の紙管３０を形成する工程Ａにおいて、筒状部分２９をトイレットロール１０と同幅かやや幅広でカッター５８によりカットして紙管を形成した後、これと同幅のトイレットペーパー原紙７２を巻き付けることで、ログ７０を介さずに直接的にトイレットロール１０とすることができる。トイレットロール１０よりやや幅広の紙管にトイレットロール１０よりやや幅広のトイレットペーパー原紙７２を巻き付けて、その両端面部分をカットすることで端面を整えることができる。着色剤含有消臭剤４１やその付与形態については、上記ログ７０を仲介する方法と同様に行なうことができる。
【００４４】
「トイレットロール」
次いで、本実施形態に係るトイレットロール１０について説明する。本実施形態に係るトイレットロール１０は、図３に示すとおり、紙管１１に帯状の家庭用薄葉紙であるトイレットペーパー１２が巻かれたものである。このトイレットロール１０は、上記のトイレットロール１０の製造方法により製造することができる。
【００４５】
本実施形態にかかるトイレットロール１０の大きさ等は、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパーの長さも十分である。
【００４６】
トイレットペーパー１２は、微細な凹凸であるクレープを有する家庭用薄葉紙であるが、その具体的な組成・構成は限定されない。トイレットペーパー１２は、１プライから３プライのものが望ましい。紙厚は、１００〜３５０μｍであるのが望ましい。また、１プライ当り米坪は、１１．０〜２５．０ｇ／ｍ2であるのが望ましい。この範囲であれば使用時の柔らかさや吸水性を確保できる。
【００４７】
なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。
【００４８】
本実施形態に係るトイレットロール１０は、特徴的に、前記紙管１１の内周面１１Ａの一部又は全部が着色されており、その着色された部分にトイレ空間内の悪臭成分に対して消臭効果を有するポリフェノール等の少なくとも１種と、ポリアミド樹脂とを含む。すなわち、本実施形態のトイレットロール１０は、紙管内面１１Ａに染料又は顔料がポリアミド樹脂によって定着され、これにより着色されているとともに、その定着部分にポリフェノール等が含有されている。なお、本実施形態に係る着色された部分にポリフェノール等の少なくとも１種と、ポリアミド樹脂を含む態様は、上記の製造方法により製造されるような、それらが混合された状態で付与されているような態様のものであり、ポリフェノール等とポリアミド樹脂とが別々に付与されて層構造となっているような態様のものではない。
【００４９】
着色部分は、より具体的には、ベタ印刷、網点状、円状、ブロック状など適宜のパターン印刷、図形などの模様印刷、文字の印刷等である。着色の色は特に限定されない。
【００５０】
ポリフェノール等としては、上記製造方法の欄でも説明しものと同様であり、茶  柿、ブドウ等の植物及び植物の加工品から抽出されるなどしたものである。本発明に特に好ましいものとしてタンニン、カテキン、ルチン、アントシアニン、エラグ酸、クマリン、フラボン及びこれらの誘導体又は前駆体が挙げられる。これらは、トイレ空間の悪臭成分に対する消臭効果に優れる。なかでも、特にタンニン及びその誘導体が望ましい。タンニン及びタンニン誘導体は、分子量が大きくフェノール性水酸基を多く有するため消臭機能に優れる。なお、タンニンは、縮合型タンニン、加水分解型タンニンのいずれでよい。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。
【００５１】
なお、紙管に対するポリフェノール等の付与量としては、紙管内周面の面積を基準として、０．００２〜６．０ｇ／ｍ2であるのが望ましい。より、好ましくは０．２〜２ｇ／ｍ2である。この含有量であれば、ポリフェノール系消臭剤による消臭効果を十分に発揮させることができ、また、付与もしやすい。
【００５２】
ポリアミド樹脂は、ポリアクリルアミド樹脂であるのが望ましい。本実施形態のトイレットロールでは、バインダー成分がポリアミド樹脂であることにより、紙管内面にべたつきがなく、剥離もし難いものとなる。その結果、そこに含まれるポリフェノール等及び着色剤の剥離もし難いものとなる。
【実施例】
【００５３】
本発明の効果を確認すべく試験を行なった。試験は、坪量１７０ｇ／ｍ2、紙厚２００μｍ、ステキヒトサイズ度２００秒の紙管原紙に対して下記表１に示す異なる組成・配合割合の着色剤含有消臭剤を予め付与し、それら着色剤含有消臭剤を付与した紙管原紙をもちいて、上記〔紙管製造工程（Ａ）〕の欄で説明した手順により長尺の紙管を形成して、その付与面及び紙管内面を観察することにより行なった。なお、着色インキは東洋インキ株式会社製ＬＯＸ３９藍、低級アルコールは、イソプロピルアルコールを用いた。消臭剤は、リリース科学工業株式会社製Pancil FG-25を使用した。
【００５４】
評価は、付与面のべたつき、印刷適性、剥がれの３項目とした。
【００５５】
印刷適性は、グラビア印刷機を用いてパターン印刷を行い、ムラ無く印刷できるか否かを目視にて評価した。評価基準は、色ムラありを×、色ムラ無しを○とした。
【００５６】
べたつきについては、紙管原紙に着色剤を付与したのち３分後も手で触ってべたつきがないか否かを確認した。評価基準は、べたつきがあるものを×、べたつきが無いものを○とした。
【００５７】
剥離については、長尺紙管を形成したのちその内面を観察して、着色剤含有消臭剤が剥がれている部分があるか否かを目視にて確認した。剥がれがみられるものを×、剥がれがみられないものを○と評価した。
【００５８】
【表１】
2015047401.tif 000007
【００５９】
上記表１に示されるように、本発明の実施例については、べたつき、印刷適性、剥がれの評価のいずれも良好な結果が得られた。これに対して、比較例１〜４では、べたつき、印刷適性、剥がれの項目において問題のある結果となった。
【００６０】
以上のことから、本発明により、べたつきや色ムラや消臭剤の剥離なく、消臭効果の高いポリフェノール系消臭剤が紙管内面に付与されたトイレットロール及びその製造方法が提供できることが確認された。
【符号の説明】
【００６１】
１０…トイレットロール、３１Ａ，３２Ａ…原反ロール、３１，３２…紙管原紙、５１…糊付けロール、２９…筒状部分、５８…カッター、３０…長尺の紙管、５２…マンドレルシャフト、５３…プーリー、５４…平ベルト、６１…塗工機、６２…乾燥機、４１…着色剤含有消臭剤、７０…ログ、７１…トイレットペーパー原紙、７１Ａ…ロール、７２…２プライのトイレットペーパー原紙、８１…重ね合わせ部、８２…ミシン目線形成装置、８３…巻き取り手段、９１…ログカッター、１１…紙管、１１Ａ…紙管内面、１２…トイレットペーパー、Ｌ１…トイレットロールの幅、Ｌ２…トイレットロールの直径、Ｌ３…紙管内径。
【手続補正２】
【補正対象書類名】特許請求の範囲
【補正対象項目名】全文
【補正方法】変更
【補正の内容】
【特許請求の範囲】
【請求項１】
帯状のトイレットペーパーが紙管に巻かれたトイレットロールの製造方法であって、
ポリフェノール系消臭剤と低級アルコールとポリアミド樹脂と着色剤とを含む消臭剤含有着色剤を、紙管原紙の少なくとも一方面に塗布する工程と、
前記消臭剤含有着色剤を塗布した紙管原紙を塗布面が内周面となるようにして筒状に形成する工程と、
その筒状に形成したものに対してトイレットペーパー原紙を巻き付ける工程と、
を有することを特徴とするトイレットロールの製造方法。
【請求項２】
前記消臭剤含有着色剤は、ポリフェノール系消臭剤２５〜６７重量％、低級アルコール８〜２４重量％、ポリアミド樹脂１〜１０重量％を含む、請求項１記載のトイレットロールの製造方法。
【請求項３】
前記紙管原紙を筒状に形成する工程においてトイレットロールの幅の複数倍幅以上の長さの筒状にし、その筒状に形成したものに対してトイレットロールの幅の複数倍幅以上の長さトイレットペーパー原紙を巻き付けて、トイレットロールの径と同径でありかつトイレットロールの幅の複数倍幅以上のログを形成したのち、このログをトイレットロールの幅に裁断する、請求項１又は２記載のトイレットロールの製造方法。
【請求項４】
帯状のトイレットペーパーが紙管に巻かれているトイレットロールであって、
前記紙管内周面の一部又は全部が着色され、かつ、その着色された部分にポリフェノール、ポリフェノール誘導体及びポリフェノール類似体の少なくとも一種とポリアミド樹脂とを含む、ことを特徴とするトイレットロール。